(57)【要約】【課題】ナットのサイズごとに合わせたスパナやレンチでは、其々のナットのサイズごとに選ぶ必要があり、扱うナットのサイズが複数ある作業では、サイズごとにスパナやレンチを用意しなければならないし、スパナやレンチの数が多いと、それなりの入れ物が必要だし、壁に掛ける場合は場所を取るし、数が多いと管理も面倒になり、経済的でない。モンキーレンチは、ナットのサイズごとにウォームの調整をしなければならないので、面倒である。【解決手段】アームと一体のハンドル二体を一つの支点軸で繋ぎ、二本のアームの端部に設けた二つの円筒部に、二股アゴを連結し、二体の二股アゴで、二方向から相対するナットの角を挟み、ナットを回せるようにし、ハンドルの開き加減で、大小のサイズのナットを挟めるようにした。【選択図】図７
2020151840.tif 000002
【特許請求の範囲】
【請求項１】
アーム２と繋がるハンドル１の同形二体を支点軸３で連結し、二体の前記アームの円筒部７の其々の凹み８に、二股アゴ５のアゴ連結部６を回転軸４で取付けて形成した、ナットプライヤ。
【請求項２】
前記アゴ連結部を取りつける前記円筒部に設けた前記凹みを、前記アゴ連結部が前記回転軸を芯にして左右に振れる形状にし、前記ハンドルの開き加減で、大小のサイズのナットを二体の前記二股アゴで挟めるようにした、請求項１に記載のナットプライヤ。
【請求項３】
前記二股アゴの両端の角を丸角９にした、請求項１に記載のプライヤ。
【発明の詳細な説明】
【技術分野】
【０００１】本発明は、ナットを回す工具に関する。
【背景技術】
【０００２】  ナットを回す工具にナットのサイズに合わせたスパナやレンチがあり、複数のサイズに合わせられる物もある。
【先行技術文献】
【特許文献】
【０００３】
【特許文献１】特開  ２００３−３４０７３１
【発明の概要】
【発明が解決しようとする課題】
【０００４】  ナットのサイズごとに合わせたスパナやレンチでは、其々のナットのサイズごとに選ぶ必要があり、面倒である。【０００５】  ナットのサイズが複数ある作業では、サイズごとのスパナやレンチを用意しなければならないし、サイズの違いが分かるような工夫をして、まとめておく必要がある。【０００６】  スパナやレンチの数が多いと、それなりの入れ物が必要だし、壁に掛ける場合は場所を取るし、数が多いと管理も面倒になり、経済的でない。【０００７】  モンキーレンチは、ナットのサイズごとにウォームの調整をしなければならないので、面倒である。
【課題を解決するための手段】
【０００８】  アームと一体の同形ハンドル二体を一つの支点軸で繋ぎ、二本のアームの端部に設けた二つの円筒部に、二股アゴのアゴ連結部を連結し、二体の二股アゴで、二方向から相対するナットの角を挟み、ナットを回せるようにした。【０００９】  ハンドルの開き加減で、大小のサイズのナットを挟めるようにした。【００１０】  二股アゴのアゴ連結部を取り付ける円筒部に、大小のサイズのナットを挟むために、二股アゴが回転軸を芯にして振れる形状の凹みを設けた。【００１１】  二股アゴにナットの角に噛合う凹み角を形成し、ハンドルを絞めてナットを挟めるようにした。【００１２】  二股アゴの両端のナットに当たる角を丸角にした。【００１３】  円筒部の凹みの二股アゴが振れる巾を、余裕を持たせて形成した。
【発明の効果】
【００１４】  ナットプライヤのハンドルを締めて、二体の二股アゴがナットの相対する二つの角を挟めば、二つの回転軸から一直線上に力をナットに伝たえるので、ナットプライヤとナットが一体になり、サイズの違いに関係なく二股アゴがナットから外れにくくナットを容易に回すことができる。【００１５】  二股アゴはナットの平面部に力を加えているわけではなく、ナットの角を左右から挟みながら力を加えているので、二股アゴの圧縮面がずれず、ナットの表面に傷をつけない。【００１６】  ナットサイズが分からない場合でもナットフライヤはナット挟んで締めつけることが出来るので、ナットサイズに合わせる調整作業が必要ない。【００１７】  ナットプライヤを構成するパーツが少ないし、しくみがシンプルなので、製造が容易になるし、組み立ても容易になり、製造コストが下がる。【００１８】  ナットフライヤの円筒部に設ける凹みとアゴ連結部とが作る隙間が小さいので、二股アゴの振れる角度も広くなく、一方の二股アゴの凹み角とナットの角を噛合わせてから、もう一方の二股アゴの凹み角とナットの角が向き合うように移動させながらハンドルを締めれば、丸角に誘導されてナットの一面と二股アゴの一面が重なり、そのままハンドルを絞め続ければ、ハンドルも二股アゴに誘導されるように動き、二股アゴの凹み角とナットの角が噛合うようになる。慣れてくればこれらの動きを一連の動作で出来るようになるので、手間がかからなくなる。
【図面の簡単な説明】
【００１９】
【図１】ナットフライヤ平面図
【図２】ナットフライヤ側面図１
【図３】ナットフライヤ側面図２
【図４】片方の二股カゴにナットを嵌めたナットフライヤの平面図
【図５】図４よりハンドルを絞めたナットフライヤの平面図
【図６】締付け完了平面図
【図７】全体斜視図
【図８】円筒部分斜視図
【図９】二股アゴ部分斜視図
【発明を実施するための形態】
【００２０】  以下、本発明の実施の形態として実施例を図１〜図９に基づいて説明する。
【実施例１】
【００２１】  アーム２と一体に形成されたハンドル１二体を二股アゴが噛合うように表裏を変えてから重ねて、支点軸３で連結し、アーム２の円筒部７に設けた凹み８にアゴ連結部６を入れ、回転軸４で連結している。一対のハンドル１と同じく一対の二股アゴ５も表裏が別になる。連結されるハンドル１は同体で、二股アゴ５も同体であり、経済的に製造できる。【００２２】  １は手で掴むハンドルで、２はハンドルと一体のアーム２でハンドル１に加えられた力を、円筒部７の凹み８を介してアゴ連結部６に伝え、ハンドル１の締めつけで移動する二股アゴ５の丸角９がナットに当たり、丸角とナットが接触しながら二股アゴが移動し、ナットの角に二股アゴの凹み角が噛合えば、ナットフライヤの締めつけが終わる。【００２３】  円筒部７に設ける凹み８を二つの三日月ストッパー１１で形成すると、製造が容易になる。
【符号の説明】
【００２４】１  ハンドル
２  アーム
３  支点軸
４  回転軸
５  二股アゴ
６  アゴ連結部
７  円筒部
８  凹み
９  丸角
１０  凹み角
１１  三日月型ストッパー
１２  回転軸用穴
ａ  ナット
【図１】
2020151840.tif 000003
【図２】
2020151840.tif 000004
【図３】
2020151840.tif 000005
【図４】
2020151840.tif 000006
【図５】
2020151840.tif 000007
【図６】
2020151840.tif 000008
【図７】
2020151840.tif 000009
【図８】
2020151840.tif 000010
【図９】
2020151840.tif 000011
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
アーム２と繋がるハンドル１の同形二体を支点軸３で連結し、二体の前記アームの円筒部７の其々の凹み８に、二股アゴ５のアゴ連結部６を回転軸４で取付けて形成した、ナットプライヤ。
【請求項２】
前記アゴ連結部を取りつける前記円筒部に設けた前記凹みに、前記アゴ連結部が前記回転軸を芯にして左右に振れる隙間１３を設け、前記ハンドルの開き加減で、大小のサイズのナットを二体の前記二股アゴで挟めるようにした、請求項１に記載のナットプライヤ。
【請求項３】
前記二股アゴの両端の角を丸角９にした、請求項１に記載のプライヤ。
【請求項４】
前記二股アゴにナットの角が嵌る角度の凹み角１０を形成し、前記ハンドルを絞めてナットの角を挟めるようにした、請求項１に記載のナットプライヤ。
【請求項５】
前記アームを左右対称にして、左右の前記円筒部の其々の前記凹みにできる前記隙間を一度に見えるようにした、請求項１に記載のナットプライヤ。
【請求項６】
前記ハンドルを曲げて、障害物を避けてナットを挟めるようにした、請求項１に記載のナットプライヤ。
【手続補正２】
【補正対象書類名】明細書
【補正対象項目名】全文
【補正方法】変更
【補正の内容】
【発明の詳細な説明】
【技術分野】
【０００１】  本発明は、ナットを回す工具に関する。
【背景技術】
【０００２】  ナットを回す工具にナットのサイズに合わせたスパナやレンチがあり、複数のサイズに合わせられる物もある。
【先行技術文献】
【特許文献】
【０００３】
【特許文献１】特開  ２００３−３４０７３１
【発明の概要】
【発明が解決しようとする課題】
【０００４】  ナットのサイズごとに合わせて製造されたスパナやレンチでは、其々のナットのサイズごとに選ぶ必要があり、面倒である。【０００５】  ナットのサイズが複数ある作業では、サイズごとのスパナやレンチを用意しなければならないし、サイズの違いが分かるような工夫をして、まとめておく必要がある。【０００６】  スパナやレンチの数が多いと、それなりの入れ物が必要だし、壁に掛けると場所を取るし、数が多いと管理も面倒になり、経済的でない。【０００７】  モンキーレンチは、ナットのサイズごとにウォームの調整をしなければならないので、面倒である。
【課題を解決するための手段】
【０００８】  アームと一体の同形ハンドル二体を一つの支点軸で連結し、二本のアームの端部に設けた二つの円筒部の其々の凹みに、二股アゴのアゴ連結部を回転軸で取り付け、二体の二股アゴで、二方向から相対するナットの角を挟み、ナットを回せるようにした。【０００９】  ハンドルの開き加減で、大小のサイズのナットを挟めるようにした。【００１０】  二股アゴのアゴ連結部を取り付ける円筒部の凹みを広げて、大小のサイズのナットを挟むために、二股アゴが回転軸を芯にして左右に振れる隙間ができるようにした。【００１１】  二股アゴにナットの角に嵌る角度の凹み角を形成し、ハンドルを絞めてナットの角に噛合うようにした。【００１２】  二股アゴの両端のナットに当たる角を丸角にした。【００１３】アームを左右対称にして、左右の円筒部の其々のアゴ連結部と凹みの隙間が一度に見えるようにした。【００１４】ハンドルを曲げて障害物を避け、曲げたハンドルでナットを挟めるようにした。
【発明の効果】
【００１６】  ナットプライヤのハンドルを締めて、二体の二股アゴでナットの相対する二つの角を噛合わせると、左右の回転軸からハンドルを締めつけた力が一直
2020151840.tif 000012
り、サイズの違いに関係なく二股アゴがナットから外れにくくなるので、ナットを容易に回すことができる。【００１７】  二股アゴはナットの平面部に力を加えているわけではなく、ナットの角を左右から挟みながら力を加えているので、二股アゴの圧縮面がずれず、ナットの表面に傷をつけない。【００１８】  ナットサイズが分からない場合でもナットフライヤはナットの角を挟んで締めつけることが出来るので、ナットサイズに合わせる調整作業が必要ない。【００１９】  ナットプライヤを構成するパーツが少ないし、しくみがシンプルなので、製造が容易になるし、組み立ても容易になり、製造コストが下がる。【００２０】  ナットフライヤの円筒部に設ける凹みとアゴ連結部とが作る隙間が小さいので、二股アゴの振れる角度も広くなく、一方の二股アゴの凹み角とナットの角を噛合わせてから、もう一方の二股アゴの凹み角とナットの角が向き合うように移動させながらハンドルを締めれば、丸角に誘導されてナットの一面と二股アゴの一面が重なり、ハンドルも二股アゴに誘導されるように動き、二股アゴの凹み角とナットの角が噛合うようになる。慣れてくればこれらの動きを一連の動作で出来るようになるので、手間がかからない。【００２１】アームを左右対称にしたことで、ナットを二股アゴで挟もうとするときに、左右の円筒部のアゴ連結部と凹みの間にある隙間が見えるので、二体のアゴ連結部の凹みの隙間を同じ巾になるようにハンドルを動かせば良いので、ハンドルを持っていく位置が分かる。一体のアゴ連結部の左右に隙間が出来るときも、その左右の隙間の巾が二体のアゴ連結部のどちらも同じになるようにハンドルを動かしながら締めつければよい。【００２２】左右の二股アゴに凹みがあるので、スパナやレンチと異なり、ナットを挟むのではなく、左右の二股アゴでナットを掴めるようになった。【００２３】曲げハンドルのナットプライヤは、障害物がある場合でも利用できる。
【図面の簡単な説明】
【００２４】
【図１】ナットフライヤ平面図
【図２】ナットフライヤ側面図１
【図３】ナットフライヤ側面図２
【図４】片方の二股アゴにナットを嵌めたナットフライヤの平面図
【図５】図４よりハンドルを絞めたナットフライヤの平面図
【図６】締付け完了平面図
【図７】全体斜視図
【図８】円筒部分斜視図
【図９】二股アゴ部分斜視図
【図１０】アーム左右対称ナットフライヤ平面図
【図１１】曲げハンドルのナットフライヤ側面図
【発明を実施するための形態】
【００２５】  以下、本発明の実施の形態として実施例を図１〜図１１に基づいて説明する。
【実施例１】
【００２６】  アーム２と一体に形成されたハンドル１二体を、表裏を変えてから重ねて、支点軸３で連結し、其々のアーム２の円筒部７に設けた凹み８にアゴ連結部６を入れ、回転軸４で連結している。一対のハンドル１と同じく一対の二股アゴ５も表裏が別になる。連結される二つのハンドル１は同体で、二股アゴ５も同体である。  【００２７】アーム２を左右対称にした場合も、連結して一体化する方法は同じだが、ハンドル１が同形二体の場合一方の円筒部７の凹み８とアゴ連結部６しか見えないものが、左右対称にすると左右のアゴ連結部６と円筒部７の凹み８の隙間１３が見える。【００２８】ハンドル１に加えられた力をハンドル１と一体のアーム２が円筒部７の凹み８を介してアゴ連結部６に伝え、ハンドル１の締めつけで移動する二股アゴ５の丸角９がナットに当たり、丸角９とナットが接触しながら二股アゴ５が移動し、二カ所のナットの角に二体の二股アゴ５の凹み角が噛合えば、ナットフライヤのナットの噛み合わせが終わり、ナットを回せるようになる。【００２９】ナットプライヤを使用する場合、ハンドル１の締めつけで、二股アゴ５の丸角９とナットが触れているとハンドル１が左又は右のどちらかにずれるので、手首を固めずにハンドル１を持ち、ずれに導かれるようにハンドル１を動かす必要がある。【００３０】  円筒部７に設ける凹み８を二つの三日月ストッパー１１で形成すると、製造が容易になる。【００３１】曲げハンドル１４はハンドルだけを曲げればよい。
【符号の説明】
【００３２】１  ハンドル
２  アーム
３  支点軸
４  回転軸
５  二股アゴ
６  アゴ連結部
７  円筒部
８  凹み
９  丸角
１０  凹み角
１１  三日月型ストッパー
１２  回転軸用穴
１３  隙間
１４  曲げハンドル
【手続補正３】
【補正対象書類名】図面
【補正対象項目名】全図
【補正方法】変更
【補正の内容】
【図１】
2020151840.tif 000013
【図２】
2020151840.tif 000014
【図３】
2020151840.tif 000015
【図４】
2020151840.tif 000016
【図５】
2020151840.tif 000017
【図６】
2020151840.tif 000018
【図７】
2020151840.tif 000019
【図８】
2020151840.tif 000020
【図９】
2020151840.tif 000021
【図１０】
2020151840.tif 000022
【図１１】
2020151840.tif 000023